(57)【要約】【課題】試験用の無駄な情報を予め携帯端末に記憶させる必要がなく、動作初期後の位置登録およびリンク開放処理、アイドル状態や再リンク確立のための時間を要することなく、迅速に携帯端末を試験できる状態に移行でき、しかも、アイドル状態からの呼接続による再リンク処理が不要で、ＳＩＭの記憶内容を意識することなく接続できるようにする。【解決手段】試験対象の携帯端末１の動作初期時に、リンク確立手段２１１により携帯端末１との間でリンクを確立させるための処理を行い、そのリンク確立した段階で、テストモード移行手段３１３により基地局からのテストモード接続の設定用のdownlink Direct Transfer（Activate RB Test Mode）メッセージを通知し、試験対象の携帯端末１から通知メッセージに対する応答メッセージを返させることで、試験対象の携帯端末１をテストモードに移行させて、送受信試験を行っている。【選択図】図１
2014116873.tif 000002
【特許請求の範囲】
【請求項１】
電源投入またはリセット操作による動作初期時に、基地局との間の信号送受信により、リンク確立、位置登録の処理を行い、リンク開放後にアイドル状態に移行し、該アイドル状態中に基地局からの接続要求に対して再度リンク確立の処理を行い、基地局を介して通信を行うように構成された携帯端末を試験するための携帯端末試験装置であって、
前記動作初期時の携帯端末との間で前記リンク確立のために必要なメッセージの交換を行うリンク確立手段（２１１）と、
前記リンク確立手段によって試験対象の携帯端末との間でリンクが確立した段階で、該試験対象の携帯端末に対して、基地局からのテストモード接続設定用のdownlink Direct Transfer（Activate RB Test Mode）メッセージを通知し、当該試験対象の携帯端末から通知メッセージに対する応答メッセージを返させることで、テストモードに移行させるテストモード移行手段（２１３）と、
前記テストモード移行手段によってテストモードに移行させた携帯端末に対して送受信試験を行う試験手段（２１４）とを有することを特徴とする携帯端末試験装置。
【請求項２】
前記リンク確立手段によって試験対象の携帯端末との間でリンクが確立した段階で、当該試験対象の携帯端末との間で、認証に関するメッセージ交換を行う擬似認証手段（２１２）を備え、
前記テストモード移行手段は、前記擬似認証手段によって前記認証に関するメッセージ交換が完了した段階で、試験対象の携帯端末に対して、基地局からのテストモード接続設定用のdownlink Direct Transfer（Activate RB Test Mode）メッセージを通知することを特徴とする請求項１記載の携帯端末試験装置。
【請求項３】
電源投入またはリセット操作による動作初期時に、基地局との間の信号送受信により、リンク確立、位置登録の処理を行い、リンク開放後にアイドル状態に移行し、該アイドル状態中に基地局からの接続要求に対して再度リンク確立の処理を行い、基地局を介して通信を行うように構成された携帯端末を試験するための携帯端末試験方法であって、
前記動作初期時の携帯端末との間で前記リンク確立のために必要なメッセージの交換を行ってリンク確立させる段階と、
前記試験対象の携帯端末との間でリンクが確立した段階で、該試験対象の携帯端末に対して、基地局からのテストモード接続の設定用のdownlink Direct Transfer（Activate RB Test Mode）メッセージを通知して、当該試験対象の携帯端末から通知メッセージに対する応答メッセージを返させることで、テストモードに移行させる段階と、
前記テストモードに移行させた携帯端末に対して送受信試験を行う段階とを含むことを特徴とする携帯端末試験方法。
【請求項４】
前記試験対象の携帯端末との間でリンクが確立した段階で、当該試験対象の携帯端末との間で、認証に関するメッセージ交換を行う段階を含み、
該認証に関するメッセージ交換が完了した段階で、試験対象の携帯端末に対して、基地局からのテストモード接続設定用のdownlink Direct Transfer（Activate RB Test Mode）メッセージを通知することを特徴とする請求項３記載の携帯端末試験方法。
【発明の詳細な説明】
【技術分野】
【０００１】
本発明は、携帯電話、スマートフォン等のように基地局との間で無線通信を行う携帯端末の試験を効率的に行うための技術に関する。
【背景技術】
【０００２】
携帯端末の通信システムでは、基地局のサービスエリア内にある携帯端末が電源投入時やリセット操作されたときにその基地局の電波を受信して基地局に対して通信を可能とするための要求を行い、基地局との間で通信ができる状態（リンク確立状態）となり、続いて携帯端末の固有の情報を基地局に通知して、その基地局が属するネットワークにその携帯端末の存在エリアを登録する認証・位置登録処理を行った後、リンク開放処理によりアイドル状態に遷移し、その後、基地局からの呼接続（着信）や発信等、通信が必要な状況になると基地局との通信状態に移行する。
【０００３】
このような通信を基地局との間で行う携帯端末の試験を試験装置（擬似基地局装置ともいう）で行う場合、従来は、図４に例として示すように、基地局が行っているのと同等の手順で試験対象の携帯端末とメッセージの交換を行っていた。
【０００４】
即ち、動作初期時の携帯端末１は、位置登録のために基地局との間の通信を要求するメッセージ、
Ｍｕ１＝rrc Connection Request（establishment Cause :registration）
を送信し、この要求に対して、試験装置１０は、携帯端末１との通信に使用するチャネル等を指定するメッセージ、
Ｍｄ１＝rrc Connection Setup
を送る。以下、Ｍｕ（数字）は携帯端末１が発するメッセージ、Ｍｄ（数字）は試験装置擬似基地局装置）１０が発するメッセージとする。
【０００５】
これを受けた携帯端末１は、指定された情報に基づいて通信に使用するチャネル等の設定を行い、設定が完了したことを表すメッセージ、
Ｍｕ２＝rrc Connection Setup Complete
を送信し、続いて、位置登録のための接続要求メッセージ、
Ｍｕ３＝initial Direct Transfer（Attach request）
を送信する。
【０００６】
上記Ｍｕ１〜Ｍｕ２までの処理はリンク確立処理であり、Ｍｕ３は接続要求処理であるが、ここではＭｕ１〜Ｍｕ３まで行われた段階でリンク確立とする。このリンク確立が完了した後、携帯端末１の認証処理に移行する。
【０００７】
即ち、試験装置１０は、携帯端末１の認証の計算に用いる乱数（ＲＡＮＤ）値を通知するメッセージ、
Ｍｄ２＝downlink Direct Transfer（Authentication and ciphering request）
を送り、これを受けた携帯端末１は、ＲＡＮＤ値と自機の情報とを用いた所定の演算を行い、その計算結果をメッセージ、
Ｍｕ４＝uplink Direct Transfer（Authentication and ciphering response）
に含めて返す。
【０００８】
試験装置１０はこの計算結果が正しいか否かを判定し、正しければメッセージ認証使用開始通知のメッセージ、
Ｍｄ３＝security Mode Command
を送り、携帯端末１が、このメッセージを受信したことを報告するメッセージ、
Ｍｕ５＝security Mode Complete
を返す。
【０００９】
続いて、試験装置１０から、携帯端末ユーザ毎に割り当てられたユーザ識別番号ＩＭＳＩ（International Mobile Subscriber Identity）を問い合わせるメッセージ、
Ｍｄ４＝downlink Direct Transfer (Identity request :IMSI)
を送り、携帯端末１からそれに答えるメッセージ
Ｍｕ６＝uplink Direct Transfer (Identity response)
が返される。なお、ＩＭＳＩは、認証に用いるユーザ固有のキー情報（Authentication key）とともに携帯端末のＳＩＭに記憶されている。
【００１０】
次に、試験装置１０から、携帯端末毎に割り当てられた端末識別番号ＩＭＥＩ（International Mobile Equipment Identity）を問い合わせるメッセージ、
Ｍｄ      ５＝downlink Direct Transfer (Identity
request :IMEI)
を送り、携帯端末１からそれに答えるメッセージ
Ｍｕ７＝uplink Direct Transfer (Identity response)
が返される。
【００１１】
そして、試験装置１０から、位置登録要求（Attach request）を認めるメッセージ、
Ｍｄ６＝downlink Direct Transfer (Attach accept)
を送り、これに応答するメッセージ、
Ｍｕ８＝uplink Direct Transfer (Attach Complete)
が携帯端末１から返される。
【００１２】
これまでの処理により、携帯端末１の認証及び位置登録処理が完了したので、リンク開放のために試験装置１０から、チャネル開放を指示するメッセージ、
Ｍｄ７＝rrc Connection Release
が送信され、携帯端末１はこれに応答するメッセージ、
Ｍｕ９＝rrc Connection Release Complete
を出力して、アイドル状態となる。
【００１３】
そして試験装置１０は、このアイドル状態にある携帯端末１に対して試験のための接続要求メッセージ、
Ｍｄ８＝paging Type1
を送信し、これを受けた携帯端末１は、再び試験装置１０との通信を要求するメッセージ、
Ｍｕ１０＝rrc Connection Request（establishment Cause :terminating
Conversational Call）
を返す。
【００１４】
続いて、試験装置１０は、携帯端末１との通信に使用するチャネルなどを指定するメッセージ、
Ｍｄ９＝rrc Connection Setup
を送る。
【００１５】
これを受けた携帯端末１は、指定された情報に基づいて通信に使用するチャネル等の設定を行い、設定が完了したことを表すメッセージ、
Ｍｕ１１＝rrc Connection Setup Complete
を送信し、続いて、接続要求メッセージ、
Ｍｕ１２＝initial Direct Transfer（paging response）
を送信する。
【００１６】
上記Ｍｄ８〜Ｍｕ１２までのメッセージ交換は、試験のための再リンク確立処理であり、このリンク確立が完了した後に、試験装置１０は、携帯端末１の認証のために、認証の計算に用いるＲＡＮＤ値を通知するメッセージ、
Ｍｄ１０＝downlink Direct Transfer（Authentication and ciphering request）
を送り、これを受けた携帯端末１は、認証キー情報（Authentication key）とＲＡＮＤ値を用いた所定の演算を行い、その演算結果を含むメッセージ、
Ｍｕ１３＝uplink Direct Transfer（Authentication and ciphering response）
を返す。
【００１７】
そして、試験装置１０はこの計算結果が正しいか否かを判定し、正しければメッセージ認証使用開始通知のメッセージ、
Ｍｄ１１＝security Mode Command
を送り、これを受けた携帯端末１が、受信したことを報告するメッセージ、
Ｍｕ１４＝security Mode Complete
を返す。
【００１８】
上記Ｍｄ１０〜Ｍｕ１４までのメッセージ交換により、試験対象の携帯端末１が認証され、その認証が終了した段階で、試験装置１０は、試験のためのテストモード接続の設定を行うためのメッセージ、
Ｍｄ１２＝downlink Direct Transfer（Activate RB Test Mode）
を携帯端末１に送信し、これを受けた携帯端末１はこれに答えるメッセージ、
Ｍｕ１５＝uplink Direct Transfer（Activate RB Test Mode Complete）
を返す。
【００１９】
そして、試験装置１０は、試験のためのデータ通信に用いるチャネル等を指定するメッセージ、
Ｍｄ１３＝radio Bearer Setup
を送り、これを受けた携帯端末１がその設定を完了したことを通知するメッセージ、
Ｍｕ１６＝radio Bearer Setup Complete
を返す。
【００２０】
続いて、試験装置１０は、テストモードの種別の設定を行うためのメッセージ、
Ｍｄ１４＝downlink Direct Transfer（Close UE Test Loop）
を携帯端末１に送信し、これを受けた携帯端末１はメッセージ、
Ｍｕ１７＝uplink Direct Transfer（Close UE Test Loop Complete）
を返す。
【００２１】
このようにしてテストモードに移行してから、携帯端末１に対する送受信試験が行われることになる。この試験は、携帯端末１の送信機能に関しては送信電力、ＥＶＭ、ＡＣＬＲ等、受信機能に関しては受信感度、ループバックテスト等である。
【００２２】
このように、従来の試験装置では、基地局と携帯端末との通信手順と同じ手順で携帯端末を試験できる状態まで移行させてから携帯端末に対する試験を行っていたが、携帯端末は年々高速化、多機能化、マルチバンド化しており、それに伴う試験項目の増加により試験時間が長くなってしまい、製造ラインなどで一台ずつ試験を行う場合、その効率的に試験できるようにすることが強く望まれている。
【００２３】
その一つの方法として、次の特許文献１には、位置登録に必要な情報を予め携帯端末側に記憶させておき、試験装置との間で位置登録処理を省略してからアイドル状態におけるテストを行う技術が開示されている。
【先行技術文献】
【特許文献】
【００２４】
【特許文献１】特開２００４−５６７９２号公報（特許第４２６１２５８）
【発明の概要】
【発明が解決しようとする課題】
【００２５】
しかしながら、上記特許文献１のように携帯端末側に試験のためだけに用いる位置登録処理に必要な情報を記憶させておくことは無駄であり、そのためにメモリの記憶容量を無駄に消費してしまう。また、試験用の位置登録情報を予め記憶した携帯端末だけしか適用できず、汎用性という点で問題がある。
【００２６】
また、たとえ上記特許文献１のように位置登録処理を短縮化しても、図４に示したチャートのように、位置登録処理後にリンクを開放して一旦アイドル状態に入ってから、再びリンクを確立してテストモードに移行しているから、その間に相当な時間を費やしてしまい、携帯端末の製造過程で効率よく試験を行うことが困難であった。
【００２７】
また、上記試験では、携帯端末の認証のために、記憶されている情報が既知の試験用ＳＩＭを用いる必要があるが、Ｍ２Ｍモジュールの出荷前の動作確認等のように、携帯端末の電話番号等のユーザ情報を特定するための情報が記憶された実際のＳＩＭ（Subscriber Identity Module ）が実装された状態での試験要求が強くなってきており、実際のＳＩＭに保存されているパラメータが既知でないため、試験を行う上で障害となり得る。特に、ＳＩＭ固有の値であるＩＭＳＩや認証に用いられるキー情報（Authentication
key）が不明であることは影響が大きい。
【００２８】
例えば、アイドル状態の携帯端末に対して接続を行う場合、基地局は、携帯端末に対してページング（paging）を送信するが、アイドル状態の携帯端末は、ＩＭＳＩから算出されるタイミングでのみ、ページングを間欠的に受信している。このため、基地局は携帯端末のＳＩＭに記憶されているＩＭＳＩを取得しており、さらに、ＳＩＭに記憶されているキー情報を用いた演算結果を照合して認証を行っているので、試験装置としても上記手順による認証処理を用いて再リンク（呼接続）を行う必要があり、記憶内容が不明の実際のＳＩＭを実装した携帯端末の試験が困難であった。
【００２９】
本発明は、これらの問題を解決して、試験用の無駄な情報を予め携帯端末に記憶させる必要がなく、動作初期後の位置登録およびリンク開放処理、アイドル状態や再リンク確立のための時間を要することなく、迅速に携帯端末を試験できる状態に移行でき、しかも、アイドル状態からの呼接続による再リンク処理が不要で、ＳＩＭの記憶内容を意識することなく接続できる携帯端末試験装置および方法を提供することを目的としている。
【課題を解決するための手段】
【００３０】
前記目的を達成するために、本発明の請求項１の携帯端末試験装置は、
電源投入またはリセット操作による動作初期時に、基地局との間の信号送受信により、リンク確立、位置登録の処理を行い、リンク開放後にアイドル状態に移行し、該アイドル状態中に基地局からの接続要求に対して再度リンク確立の処理を行い、基地局を介して通信を行うように構成された携帯端末を試験するための携帯端末試験装置であって、
前記動作初期時の携帯端末との間で前記リンク確立のために必要なメッセージの交換を行うリンク確立手段（２１１）と、
前記リンク確立手段によって試験対象の携帯端末との間でリンクが確立した段階で、該試験対象の携帯端末に対して、基地局からのテストモード接続設定用のdownlink Direct Transfer（Activate RB Test Mode）メッセージを通知し、当該試験対象の携帯端末から通知メッセージに対する応答メッセージを返させることで、テストモードに移行させるテストモード移行手段（２１３）と、
前記テストモード移行手段によってテストモードに移行させた携帯端末に対して送受信試験を行う試験手段（２１４）とを有することを特徴とする。
【００３１】
また、本発明の請求項２の携帯端末試験装置は、請求項１記載の携帯端末試験装置において、
前記リンク確立手段によって試験対象の携帯端末との間でリンクが確立した段階で、当該試験対象の携帯端末との間で、認証に関するメッセージ交換を行う擬似認証手段（２１２）を備え、
前記テストモード移行手段は、前記擬似認証手段によって前記認証に関するメッセージ交換が完了した段階で、試験対象の携帯端末に対して、基地局からのテストモード接続設定用のdownlink Direct Transfer（Activate RB Test Mode）メッセージを通知することを特徴とする。
【００３２】
また、本発明の請求項３の携帯端末試験方法は、
電源投入またはリセット操作による動作初期時に、基地局との間の信号送受信により、リンク確立、位置登録の処理を行い、リンク開放後にアイドル状態に移行し、該アイドル状態中に基地局からの接続要求に対して再度リンク確立の処理を行い、基地局を介して通信を行うように構成された携帯端末を試験するための携帯端末試験方法であって、
前記動作初期時の携帯端末との間で前記リンク確立のために必要なメッセージの交換を行ってリンク確立させる段階と、
前記試験対象の携帯端末との間でリンクが確立した段階で、該試験対象の携帯端末に対して、基地局からのテストモード接続の設定用のdownlink Direct Transfer（Activate RB Test Mode）メッセージを通知して、当該試験対象の携帯端末から通知メッセージに対する応答メッセージを返させることで、テストモードに移行させる段階と、
前記テストモードに移行させた携帯端末に対して送受信試験を行う段階とを含むことを特徴とする。
【００３３】
また、本発明の請求項４の携帯端末試験方法は、請求項３記載の携帯端末試験方法において、
前記試験対象の携帯端末との間でリンクが確立した段階で、当該試験対象の携帯端末との間で、認証に関するメッセージ交換を行う段階を含み、
該認証に関するメッセージ交換が完了した段階で、試験対象の携帯端末に対して、基地局からのテストモード接続設定用のdownlink Direct Transfer（Activate RB Test Mode）メッセージを通知することを特徴とする。
【発明の効果】
【００３４】
このように、本発明では、試験対象の携帯端末の動作初期時に、該携帯端末との間でリンクを確立させるための処理を行い、そのリンク確立した段階で、基地局からのテストモード接続の設定用のdownlink Direct Transfer（Activate RB Test Mode）メッセージを通知し、当該試験対象の携帯端末から通知メッセージに対する応答メッセージを返させることで、当該試験対象の携帯端末をテストモードに移行させて、送受信試験を行っている。
【００３５】
このため、携帯端末の動作初期時に基地局との間の通信で通常行われる位置登録処理からアイドル状態までに必要な処理、およびアイドル状態から再リンク確立までの処理を行うことなく、携帯端末に対する試験を実行できる状態に移行でき、試験時間を大幅に短縮できる。
【００３６】
また、アイドル状態から再リンク確立までの処理が不要となるので、携帯端末のＳＩＭに記憶されている情報を意識しないで試験を行え、試験用のＳＩＭ以外で、記憶されている情報が未知のＳＩＭが実装されている携帯端末の試験も短時間に行うことができる。
【００３７】
また、リンク確立後の擬似認証処理を省略したものでは、試験時間をさらに短縮化できる。
【図面の簡単な説明】
【００３８】
【図１】本発明の実施形態の構成図
【図２】実施形態の処理手順を示すチャート図
【図３】実施形態の別の処理手順を示すチャート図
【図４】従来装置の処理手順を示すチャート図
【発明を実施するための形態】
【００３９】
以下、図面に基づいて本発明の実施の形態を説明する。
図１は、本発明を適用した携帯端末試験装置２０の実施形態の構成図である。
【００４０】
この携帯端末試験装置２０は、ＷＣＤＭＡ方式やＴＤ−ＳＣＤＭＡ方式で携帯端末と通信を行うものであり、試験用制御部２１、変調部２２、周波数変換部２３、復調部２４によって構成されている。
【００４１】
試験用制御部２１は、試験対象の携帯端末１に通知するメッセージＭｄや試験用データ信号を予め決められた手順によって出力し、携帯端末１から送信されたデータ信号を解析して、携帯端末１の試験および評価を行う。
【００４２】
変調部２２は、試験用制御部２１の出力信号に対して、携帯端末１の変調方式に対応した変調処理を行い、周波数変換部２３に出力する。
【００４３】
周波数変換部２３は、変調部２２で変調された信号を携帯端末１との通信で用いる周波数帯に変換して試験対象の携帯端末１に送信し、携帯端末１から出力された信号を復調部２４が扱える周波数帯に変換して出力する。
【００４４】
復調部２４は、携帯端末１から送信されて周波数変換部２３で周波数変換された信号を受けて携帯端末１の変調方式に対応した復調処理を行い、携帯端末１からのメッセージＭｕやデータを復調して試験用制御部２１に与える。
【００４５】
なお、周波数変換部２３の周波数制御は、試験用制御部２１によってなされるものとする。
【００４６】
この試験用制御部２１には、リンク確立手段２１１、擬似認証手段２１２、テストモード移行手段２１３、試験手段２１４が設けられている。
【００４７】
リンク確立手段２１１は、携帯端末１の動作初期時に、試験装置２０との間で初回のリンクを確立するためのメッセージ交換処理を行う。
【００４８】
擬似認証手段２１２は、試験対象の携帯端末１がＳＩＭの情報に関する認証処理を経過しないとテストモードへ移行できない場合に使用されるものであり、その認証に必要なメッセージの交換を携帯端末１との間で行うが、実際のデータ照合に必要な判定処理などは行わず、携帯端末１から通知された情報に対して無条件に認証完了のメッセージを送り返す（擬似認証）。
【００４９】
テストモード移行手段２１３は、リンク確立が完了し、且つ擬似認証処理のためのメッセージ交換が完了した段階で、基地局からのテストモード接続の設定用のdownlink Direct Transfer（Activate RB Test Mode）メッセージを通知して、試験対象の携帯端末１をテストモードに移行させる。この移行は、通知されたメッセージに対する携帯端末の応答柔軟性を前提とするものであり、近年製造されている携帯端末では、基地局とリンクが確立した状態で基地局から予期しないモードにおけるメッセージに対して正しく応答してそのモードへ移行できるものがかなりあり、この実施形態の試験装置２０もそのような携帯端末１を試験対象としている。
【００５０】
ただし、そのような携帯端末１でも、ＳＩＭのキー情報を用いた演算結果を基地局に通知して基地局から認証が適合しているという意味のメッセージを受ける処理が必要な携帯端末と、その認証さえも省略可能な携帯端末とがあることがわかっている。
【００５１】
そのため、この実施形態では、認証が必要な携帯端末を試験する場合には、第１の試験モードとして、前記した擬似認証手段２１２により、基地局からの認証処理に必要なＲＡＮＤ値等を通知するためのdownlink Direct Transfer（Authentication and ciphering request）メッセージを通知して、擬似的な認証処理を行ってから、テストモード接続の設定段階に移行している。
【００５２】
また、上記擬似認証処理が省略可能な携帯端末を試験する場合には、第２の試験モードとして、リンク確立が完了した段階で、前記擬似認証処理を行うことなくテストモード接続の設定用のdownlink Direct Transfer（Activate RB Test Mode）メッセージを通知して、テストモード接続の設定段階に移行する。
【００５３】
また、試験手段２１４は、テストモードに移行した携帯端末１に対して前記した送受信の試験を行う。
【００５４】
図２は、上記擬似認証処理が必要な携帯端末を試験する場合の試験装置２０の動作をより具体的に示すチャートである。以下、この図に基づいて試験装置２０の動作を説明する。
【００５５】
即ち、動作初期時の携帯端末１は、位置登録のために基地局との間の通信を要求するメッセージ、
Ｍｕ１＝rrc Connection Request（establishment Cause :registration）
を送信し、この要求に対して、試験装置２０は、携帯端末１との通信に使用するチャネル等を指定するメッセージ、
Ｍｄ１＝rrc Connection Setup
を送る。
【００５６】
これを受けた携帯端末１は、指定された情報に基づいて通信に使用するチャネル等の設定を行い、設定が完了したことを表すメッセージ、
Ｍｕ２＝rrc Connection Setup Complete
を送信し、続いて、位置登録のための接続要求メッセージ、
Ｍｕ３＝initial Direct Transfer（Attach request）
を送信する。
【００５７】
上記Ｍｕ１〜Ｍｕ２までの処理はリンク確立処理であり、Ｍｕ３は接続要求処理であるが、ここではＭｕ１〜Ｍｕ３まで行われた段階でリンク確立とする。このリンク確立が完了した段階で、携帯端末１の擬似認証のために、認証計算に用いるＲＡＮＤ値を通知するメッセージ、
Ｍｄ２（＝Ｍｄ１０）
＝downlink Direct Transfer（Authentication and ciphering request）
を送り、これを受けた携帯端末１は、計算結果を送るためのメッセージ、
Ｍｕ４（＝Ｍｕ１３）
＝uplink Direct Transfer（Authentication and ciphering response）
を返す。
【００５８】
そして、試験装置２０は、試験対象の携帯端末１から通知された計算結果に関わらず、メッセージ認証使用開始通知のメッセージ、
Ｍｄ３（＝Ｍｄ１１）＝security Mode Command
を送り、これを受けた携帯端末１が、受信したことを報告するメッセージ、
Ｍｕ５（＝Ｍｕ１４）＝security Mode Complete
を返す。
【００５９】
上記Ｍｄ２〜Ｍｕ５までのメッセージ交換により、試験対象の携帯端末１が擬似的に認証され、その認証が終了した段階で、従来であれば、位置登録のためのメッセージ交換に移行するが、この試験装置２０は、試験のためのテストモード接続の設定を行うためのメッセージ、
Ｍｄ１２＝downlink Direct Transfer（Activate RB Test Mode）
を携帯端末１に送信し、携帯端末１はこれに答えるメッセージ、
Ｍｕ１５＝uplink Direct Transfer（Activate RB Test Mode Complete）
を返す。
【００６０】
そして、試験装置２０は、試験のためのデータ通信に用いるチャネル等を指定するメッセージ、
Ｍｄ１３＝radio Bearer Setup
を送り、携帯端末１がその設定を完了したことを通知するメッセージ、
Ｍｕ１６＝radio Bearer Setup Complete
を返す。
【００６１】
続いて、試験装置２０は、テストモードの種別の設定を行うためのメッセージ、
Ｍｄ１４＝downlink Direct Transfer（Close UE Test Loop）
を携帯端末１に送信し、これを受けた携帯端末１はメッセージ、
Ｍｕ１７＝uplink Direct Transfer（Close UE Test Loop Complete）
を返す。
【００６２】
こうして、携帯端末１をテストモードに移行させた後、前記した送受信の試験を行う事になる。
【００６３】
このように、実施形態の携帯端末試験装置２０は、初期動作時の携帯端末１についての位置登録処理、リンク開放処理、アイドル状態および再リンク確立処理を省略して、テストモードに移行できるため、従来に比べて大幅に試験時間を短縮することができる。
【００６４】
しかも、アイドル状態からの呼接続による再リンク処理が不要であるからＳＩＭのＩＭＳＩの値を考慮しなくて済み、さらに携帯端末側でのＳＩＭのキー情報が未知であっても携帯端末から通知された計算結果の判定をしないことで、記憶内容が未知の実際のＳＩＭが実装された携帯端末の試験も短時間に行うことができる。
【００６５】
なお、上記実施例では、ＴＤ−ＳＣＤＭＡ方式の場合、位置登録処理、リンク開放処理に要する時間３〜４秒と、アイドル状態の間欠受信に伴うページング送信待ち時間（端末がページングを受信する間隔６４０ｍｓ〜２５６０ｍｓ）を短縮できる。
【００６６】
ＳＩＭ認証が省略可能な携帯端末を試験する場合の試験装置２０の動作を示すチャートは、図３の通りである。このチャートは、図２のチャートの擬似認証用のメッセージＭｄ２、Ｍｄ３、Ｍｕ４、Ｍｕ５の交換を省略し、動作初期時におけるＭｕ１〜Ｍｕ３までのリンク確立処理が完了した段階で擬似認証処理を行うことなく、直ちに試験のためのテストモード接続の設定を行うためのメッセージ、
Ｍｄ１２＝downlink Direct Transfer（Activate RB Test Mode）
を携帯端末１に送信してテストモードに移行し、以後は図２の場合と同じ手順で携帯端末１の試験を行っている。
【００６７】
したがって、この場合では、初期動作時の携帯端末１についての位置登録処理、リンク開放処理、アイドル状態および再リンク確立処理に加えて擬似認証処理も省略できるので、さらに試験時間を短縮することができる。
【００６８】
なお、上記二つの試験モードは、ユーザが図示しない操作部のモード指定操作により任意に指定できるようになっている。また、これら二つの短縮化された試験モードの他に、図４で示した従来の試験モード（第３の試験モード）も実行可能にしておき、試験対象の携帯端末のメッセージによるモード移行の柔軟性に応じて、前記第１〜第３の試験モードのいずれかをモード指定操作で実行させることもでき、このようにすれば、異なる多くのメーカーが製造する携帯端末に対応できるとともに、同一メーカーであっても機能が異なる複数機種に対応でき、汎用性の高い試験装置を実現できる。
【００６９】
なお、本発明は、ＬＴＥから、ＷＣＤＭＡ／ＴＤ−ＳＣＭＡへのＣＳＦＢ（circuit switch Fall Back :ＬＴＥネットワークに存在する端末が、音声発着信等ＣＳ接続サービス利用時に、ＷＣＤＭＡ等他のシステムを使用する仕組み）時の接続時間短縮にも用いることが可能である。
【符号の説明】
【００７０】
２０……携帯端末試験装置、２１……試験用制御部、２２……変調部、２３……周波数変換部、２４……復調部、２１１……リンク確立手段、２１２……擬似認証手段、２１３……テストモード移行手段、２１４……試験手段
【図１】
2014116873.tif 000003
【図２】
2014116873.tif 000004
【図３】
2014116873.tif 000005
【図４】
2014116873.tif 000006